(57)【要約】      （修正有）【課題】極めて安全性に優れ、しかも取り付け、取り外し作業が至って簡単で、構造も至極容易である調理用容器を提供する。【解決手段】内壁、外壁間を真空とした真空二重の容器４と、容器４の口元周りを覆うリング状の肩部材５と、肩部材５に着脱自在に装着する蓋体７と、容器４内にあって肩部材５に着脱自在に装着し、かつ容器内の液体を濾し分ける網目状の中子６とを備えてなる。容器４の内壁には、口元上端に広口とした内壁段部を設ける一方、内壁口元を覆う肩部材５の肩部材内壁内側周りには、適宜の間隔を隔てて上下に通り抜ける縦溝１１、１１と、この各縦溝１１と連なる係止溝１２とを設けると共に、中子６の外周に肩部材５の各縦溝１１に沿い、各係止溝１２内に係合する係合爪１７を複数設けた。【選択図】図３
0003158917.tif 000002
【実用新案登録請求の範囲】
【請求項１】
内壁(２)、外壁(３)間を真空とした真空二重の容器(４)と、容器(４)の口元周りを覆うリング状の肩部材(５)と、肩部材(５)に着脱自在に装着する蓋体(７)と、容器(４)内にあって肩部材(５)に着脱自在に装着し、かつ容器内の液体を濾し分ける網目状の中子(６)とを備えてなる調理用容器(１)に於いて、上記容器(４)の内壁(２)には、口元上端に広口とした内壁段部(２ａ)を設ける一方、内壁口元を覆う肩部材(５)の肩部材内壁(５ａ)内側周りには、適宜の間隔を隔てて上下に通り抜ける縦溝(１１)、(１１)と、この各縦溝(１１)と連なる係止溝(１２)とを設けると共に、中子(６)の外周に肩部材(５)の各縦溝(１１)に沿い、各係止溝(１２)内に係合する係合爪(１７)を複数設けていることを特徴とした調理用容器。
【考案の詳細な説明】
【技術分野】
【０００１】
本考案は、ラーメン、スパゲッテイやおかゆ等を作る調理用容器に関するものである。
【背景技術】
【０００２】
従来、有底筒状の真空二重の断熱容器を設け、この断熱容器の口元に円板型網目状の中子(セパレータとも称す)を配置し、断熱容器の口元周りにリング状の肩部材を被せて、肩部材の上端に蓋体を装着し、この断熱容器内に熱湯と麺類等を入れて蓋体をし、所定の時間放置した後、蓋体を取り外し中子を押さえつつ、断熱容器内の湯を排出すれば、麺類等の調整が可能となる構造のものが実用新案登録第３１１２９６７号公報として存在する。
【先行技術文献】
【特許文献】
【０００３】
【特許文献１】実用新案登録第３１１２９６７号
【考案の概要】
【考案が解決しようとする課題】
【０００４】
ところが、この種の調理用容器では、断熱容器内に装填される中子は、上端が断熱容器の口元上端に被さるようにして載置され、その上端に肩部材を被せていたために、断熱容器内の湯を排出する際には、中子及び肩部材を常に押さえた状態で断熱容器を傾けなければならず、やけどの恐れが生じるという問題点があった。又、断熱容器に対して肩部材、中子、蓋体の取り付け、取り外し作業が煩わしく、構造も複雑となっていたという問題点があった。
【課題を解決するための手段】
【０００５】
本考案は、内壁２、外壁３間を真空とした真空二重の容器４と、容器４の口元周りを覆うリング状の肩部材５と、肩部材５に着脱自在に装着する蓋体７と、容器４内にあって肩部材５に着脱自在に装着し、かつ容器内の液体を濾し分ける網目状の中子６とを備えてなる調理用容器１に於いて、上記容器４の内壁２には、口元上端に広口とした内壁段部２ａを設ける一方、内壁口元を覆う肩部材５の肩部材内壁５ａ内側周りには、適宜の間隔を隔てて上下に通り抜ける縦溝１１、１１と、この各縦溝１１と連なる係止溝１２とを設けると共に、中子６の外周に肩部材５の各縦溝１１に沿い、各係止溝１２内に係合する係合爪１７を複数設けた構成としている。
【考案の効果】
【０００６】
本考案は、従来の問題点を解決したものであって、極めて安全性に優れ、しかも取り付け、取り外し作業が至って簡単で、構造も至極容易となる調理用容器を提供するにある。
【図面の簡単な説明】
【０００７】
【図１】本考案実施例の正面図。
【図２】本考案実施例の蓋体を開いた状態の斜視図。
【図３】本考案実施例の分解斜視図。
【図４】図１のＡ−Ａ拡大断面図。
【図５】図４のＢ部拡大図。
【考案を実施するための形態】
【０００８】
調理用容器１は、内壁２、外壁３間を真空とした真空二重の容器４と、この容器４の口元周りを覆うリング状の肩部材５と、容器４内にあって肩部材５に着脱自在に装着すると共に容器４内の液体を濾し分ける網目状の中子６と、中子６の上方で肩部材５の上端を覆い肩部材５に着脱自在に装着する蓋体７とから構成されている。
【０００９】
容器４は、ステンレス等の金属材料にて有底筒状に形成された内壁２と、内壁２と同一材料にて内壁２の周りを適宜の間隔を隔てて囲んだ外壁３とからなり、内、外壁２、３の口元上端を互いに接合した後に底部より真空引きして内、外壁２、３間を真空としている。
８は、外壁３の底を覆った合成樹脂材料からなる底板である。
【００１０】
容器４の内壁２は、図４及び図５に示すように、口元の上端を一旦広口とした内壁段部２ａを設け、この内壁段部２ａの先端に上方に延びた内壁接合部２ｂを設けている。
この内壁段部２ａは、図５に示すように、傾斜面であってもよい。
【００１１】
容器４の外壁３は、図４及び図５に示すように、外壁側壁部３ａの上端を一旦狭めた外壁第１段部３ｂを設け、この外壁第１段部３ｂの先端に上方に延びた外壁垂直部３ｃを設け、更にこの外壁垂直部３ｃの先端にわずかに狭めて上方に延びた外壁接合部３ｄを設けている。
【００１２】
外壁３の外壁第１段部３ｂは、後述の肩部材５の肩部材外壁５ｃの厚みに相当する幅を備えており、外壁垂直部３ｃには、外側に延びた環状の突起９を設けている。
外壁３の外壁接合部３ｄは、内壁２の内壁接合部２ｂと接触し、密に結合している。
【００１３】
肩部材５は、図５に示すように、内壁２の内壁段部２ａ内側より内壁接合部２ｂに向けて覆う肩部材内壁５ａと、内壁接合部２ｂ及び外壁接合部３ｄの上側より覆う肩部材上壁５ｂと、外壁３の外壁第１段部３ｂ及び外壁垂直部３ｃ、外壁接合部３ｄを外側より覆う肩部材外壁５ｃとを備え、縦断面逆Ｕ字型のリング状に一体的に形成されている。
１０は、シールパッキンである。
【００１４】
肩部材内壁５ａの内側周りには、図３に示すように、適宜の間隔を隔てて上下に挿通する縦溝１１が、複数穿設されており、この各縦溝１１の下部より縦溝に沿って横壁に延びた係止溝１２が設けられている。
肩部材内壁５ａの下端は、内壁段部２ａの下端にまで延びているが、この内壁段部２ａの下端を通り越すことはない。
【００１５】
１３は、肩部材５に装着した後述の蓋体７を保持するための蓋体保持片である。
肩部材内壁５ａの各係止溝１２には、各縦溝１１に連なる横壁と係止溝１２の底面となる底壁とが切り欠けられている。この横壁が無いことで縦溝１１を通ってきた後述の中子６の係合爪１７がスムーズに係止溝１２内に挿通され、又係止溝１２の底壁が無いことで内壁２の内壁段部２ａの下部との間に大きな隙間を得ることができるために、上述の係合爪１７がスムーズかつ確実に係止溝１２内に固定保持されると共に肩部材５の金型成形に際して構造を簡単にすることができ、コストを大幅に削減できる。
【００１６】
肩部材外壁５ｃの下端は、外壁第１段部３ｂの下端にまで及んでおり、この外壁第１段部３ｂを通り越して外壁側壁部３ａにまで及ぶことはない。
肩部材外壁５ｃは、内側に外壁３の突起９に嵌合する凹部を設けている。
【００１７】
中子６は、図２、図３に示すように、合成樹脂材料にて円板状に形成されており、周面に上方に延びた周壁６ａを設けている。
この中子６は、中央に取手１４を突出しており、上部に大きな空間１５を穿設し、取手１４の周りに麺類やお米等を通さない小さな透孔１６を複数穿設している。
【００１８】
１７は、図３に示すように、中子６の周壁６ａの一部を切り欠いて設けた係合爪であって、周壁６ａの周りに適宜の間隔を隔てて複数設けている。
この係合爪１７は、図３では４個設けているが、特にこの個数に限定されるものではなく、肩部材５の係止溝１２に相当する複数設けてもよい。
【００１９】
この係合爪１７は、図３又は図５に示すように、周壁６ａに相当する係合爪側壁１７ａの上端に外側に延びた係合爪突部１７ｂを設けており、この係合爪突部１７ｂが、図５に示すように、肩部材５に設けた縦溝１１を上方より滑り降り、係止溝１２内へと導通され、固定保持される。この係合爪１７は、内壁２の内壁段部２ａに支えられるために、中子６が容器４内へ落ち込むことはない。
【００２０】
蓋体７は、図４に示すように、内部中空で下端開放の上蓋７ａと、上蓋７ａの下端開放を閉鎖する下蓋７ｂと、上蓋７ａと下蓋７ｂとの間の空間に装填する断熱材７ｃとからなっている。
蓋体７の上蓋７ａと下蓋７ｂとは、合成樹脂材料にて形成されており、断熱材７ｃは、発泡性樹脂材料にて形成されている。
【００２１】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２２】
１…調理用容器
２…内壁
２ａ…内壁段部
２ｂ…内壁接合部
３…外壁
３ａ…外壁段部
３ｂ…外壁第１段部
３ｃ…外壁垂直部
３ｄ…外壁接合部
４…容器
５…肩部材
５ａ…肩部材内壁
５ｂ…肩部材上壁
５ｃ…肩部材外壁
６…中子
６ａ…周壁
７…蓋体
７ａ…上蓋
７ｂ…下蓋
７ｃ…断熱材
８…底板
９…突起
１０…シールパッキン
１１、１１…縦溝
１２、１２…係止溝
１３…蓋体保持片
１４…取手
１５…空間
１６、１６…透孔
１７、１７…係合爪
１７ａ…係合爪側壁
１７ｂ…係合爪突部
【図１】
0003158917.tif 000003
【図２】
0003158917.tif 000004
【図３】
0003158917.tif 000005
【図４】
0003158917.tif 000006
【図５】
0003158917.tif 000007